(57)【特許請求の範囲】
【請求項１】
刃体と、
この刃体を揺動自在に支持すると共に、手で把持する把持部を有する本体と、
前記刃体の動きに連動すると共に、内壁で前記刃体で削られた野菜の切削物を作業者の手前側に導くようにしたカバーとを備え、
前記刃体は、長孔と、この長孔に臨む長手方向の刃を有する第１の面と、この第１の面と反対側の長手方向の第２の面とを有し、
前記カバーは、先端に前記長孔の一端に係止する第１の被係止部を有して立設する第１の側面と、先端に前記長孔の他端に係止する第２の被係止部を有して立設する第２の側面と、この第２の側面と前記第１の側面とを接続すると共に、前記刃体の上面を覆い把持部に向かう傾斜部を有する覆い面とを有して
いることを特徴とするピーラー。
【請求項２】
刃体と、
この刃体を揺動自在に支持すると共に、手で把持する把持部を有する本体と、
前記刃体の動きに連動すると共に、内壁で前記刃体で削られた野菜の切削物を作業者の手前側に導くようにしたカバーとを備え、
前記刃体は、長孔と、この長孔に臨む長手方向の刃を有する第１の面と、この第１の面と反対側の長手方向の第２の面とを有し、
前記刃体は、第１の係止部及び第２の係止部を有し、
前記カバーは、先端に前記第１の係止部に係止する第１の被係止部を有して立設する第１の側面と、先端に前記第２の係止部に係止する第２の被係止部を有して立設する第２の側面と、この第２の側面と前記第１の側面とを接続すると共に、前記刃体の上面を覆い把持部に向かう傾斜部を有する覆い面とを有して
いることを特徴とするピーラー。
【請求項３】
刃体と、
この刃体を揺動自在に支持すると共に、手で把持する把持部を有する本体と、
前記刃体の動きに連動すると共に、内壁で前記刃体で削られた野菜の切削物を作業者の手前側に導くようにしたカバーとを備え、
前記本体は、前記把持部と反対側の端部に第１の支持部と第２の支持部を有し、
この第２の支持部と前記第１の支持部は、離間し、
前記刃体の一端を前記第１の支持部に、前記刃体の他端を前記第２の支持部に、それぞれ支持し、
前記刃体は、長孔と、この長孔に臨む長手方向の刃を有する第１の面と、この第１の面と反対側の長手方向の第２の面とを有し、
前記第１の支持部に第１の係止部を有し、
前記第２の支持部に第２の係止部を有し、
前記カバーは、前記第１の係止部に係止する第１の被係止部と、前記第２の係止部に係止する第２の被係止部と、先端が第１の面に当接する第１の当接部、先端が第２の面に当接する第１’の当接部を有して立設する第１の側面と、先端が第１の面に当接する第２の当接部、先端が第２の面に当接する第２’の当接部を有して立設する第２の側面と、この第２の側面と前記第１の側面とを接続すると共に、前記刃体の上面を覆い把持部に向かう傾斜部を有する覆い面とを有している
ことを特徴とするピーラー。
【発明の詳細な説明】
【技術分野】
【０００１】
本発明は、ピーラーに係り、特に、削った野菜・果物の切削物を作業者の手前側に導くようにしたピーラーに関する。
【背景技術】
【０００２】
従来、野菜・果物の皮むきを目的とする調理器具としてピーラーがある（例えば、特許文献１参照）。
このピーラーにあっては、皮をむこうとする材料の表面に刃を押し当て、皮を削ぎ落とすようにしている。
【先行技術文献】
【特許文献】
【０００３】
【特許文献１】登録新案第３０５３３８１号
【発明の概要】
【発明が解決しようとする課題】
【０００４】
ところが、上記ピーラーにあっては、野菜・果物の切削物が作業者の前方に飛び散って後始末をしなければならないという問題点が生じた。
【０００５】
本発明は、前記問題点を考慮したなされたピーラーを提供することを目的とする。
【課題を解決するための手段】
【０００７】
請求項１記載のピーラーは、刃体と、この刃体を揺動自在に支持すると共に、手で把持する把持部を有する本体と、前記刃体の動きに連動すると共に、内壁で前記刃体で削られた野菜の切削物を作業者の手前側に導くようにしたカバーとを備え、前記刃体は、長孔と、この長孔に臨む長手方向の刃を有する第１の面と、この第１の面と反対側の長手方向の第２の面とを有し、前記カバーは、先端に前記長孔の一端に係止する第１の被係止部を有して立設する第１の側面と、先端に前記長孔の他端に係止する第２の被係止部を有して立設する第２の側面と、この第２の側面と前記第１の側面とを接続すると共に、前記刃体の上面を覆い把持部に向かう傾斜部を有する覆い面とを有しているものである。
【０００８】
また、請求項２記載のピーラーは、刃体と、この刃体を揺動自在に支持すると共に、手で把持する把持部を有する本体と、前記刃体の動きに連動すると共に、内壁で前記刃体で削られた野菜の切削物を作業者の手前側に導くようにしたカバーとを備え、前記刃体は、長孔と、この長孔に臨む長手方向の刃を有する第１の面と、この第１の面と反対側の長手方向の第２の面とを有し、前記刃体は、第１の係止部及び第２の係止部を有し、前記カバーは、先端に前記第１の係止部に係止する第１の被係止部を有して立設する第１の側面と、先端に前記第２の係止部に係止する第２の被係止部を有して立設する第２の側面と、この第２の側面と前記第１の側面とを接続すると共に、前記刃体の上面を覆い把持部に向かう傾斜部を有する覆い面とを有しているものである。
【０００９】
また、請求項３記載のピーラーは、刃体と、この刃体を揺動自在に支持すると共に、手で把持する把持部を有する本体と、前記刃体の動きに連動すると共に、内壁で前記刃体で削られた野菜の切削物を作業者の手前側に導くようにしたカバーとを備え、前記本体は、前記把持部と反対側の端部に第１の支持部と第２の支持部を有し、この第２の支持部と前記第１の支持部は、離間し、前記刃体の一端を前記第１の支持部に、前記刃体の他端を前記第２の支持部に、それぞれ支持し、前記刃体は、長孔と、この長孔に臨む長手方向の刃を有する第１の面と、この第１の面と反対側の長手方向の第２の面とを有し、前記第１の支持部に第１の係止部を有し、前記第２の支持部に第２の係止部を有し、前記カバーは、前記第１の係止部に係止する第１の被係止部と、前記第２の係止部に係止する第２の被係止部と、先端が第１の面に当接する第１の当接部、先端が第２の面に当接する第１’の当接部を有して立設する第１の側面と、先端が第１の面に当接する第２の当接部、先端が第２の面に当接する第２’の当接部を有して立設する第２の側面と、この第２の側面と前記第１の側面とを接続すると共に、前記刃体の上面を覆い把持部に向かう傾斜部を有する覆い面とを有しているものである。
【発明の効果】
【００１０】
従来のピーラーにおいては、野菜・果物の切削物を作業者の前方に飛び散らす不具合を生じていたが、請求項１又は２又は３記載のピーラーによれば、刃体で削られた野菜・果物の切削物をカバーの内壁で作業者の手前側に導くようにして、上述した不具合を防ぐことができ、しかも、カバーは刃体の動きに連動しているため、カバーの大きさをコンパクトにすることができる。  
【００１１】
また、請求項１記載のピーラーによれば、カバーは、先端に長孔の一端に係止する第１の被係止部を有して立設する第１の側面と、先端に前記長孔の他端に係止する第２の被係止部を有して立設する第２の側面と、この第２の側面と前記第１の側面とを接続すると共に、刃体の上面を覆い把持部に向かう傾斜部を有する覆い面とを有しているため、カバーを刃体の長孔を利用して容易に取り付けることができる。
【００１２】
また、請求項２記載のピーラーによれば、カバーは、先端に前記長孔の一端に係止する第１の被係止部を有して立設する第１の側面と、先端に前記長孔の他端に係止する第２の被係止部を有して立設する第２の側面と、この第２の側面と前記第１の側面とを接続すると共に、前記刃体の上面を覆い把持部に向かう傾斜部を有する覆い面とを有しているため、カバーを刃体の第１の係止部及び第２の係止部を利用して容易に取り付けることができる。
【００１３】
また、請求項３記載のピーラーによれば、カバーは、前記第１の係止部に係止する第１の被係止部と、前記第２の係止部に係止する第２の被係止部と、先端が第１の面に当接する第１の当接部、先端が第２の面に当接する第１’の当接部を有して立設する第１の側面と、先端が第１の面に当接する第２の当接部、先端が第２の面に当接する第２’の当接部を有して立設する第２の側面と、この第２の側面と前記第１の側面とを接続すると共に、前記刃体の上面を覆い把持部に向かう傾斜部を有する覆い面とを有しているため、カバーを第１の支持部に第１の係止部及び第２の支持部に第２の係止部を利用して本体に容易に取り付けることができる。
【図面の簡単な説明】
【００１４】
【図１】図１は、本発明の一実施例のピーラーの概略的斜視図である。
【図２】図２は、図１の刃体、本体、カバーとの関係を示す概略的斜視図である。
【図３】図３は、図１のカバーを刃体に取り付ける前の状態を示す概略的図である。
【図４】図４は、図１のカバーを刃体に取り付けた状態の概略的図である。
【図５】図５は、図１のピーラーの概略的底面図である。
【図６】図６は、図５の６−６線による概略的断面図である。
【図７】図７は、図６のカバーを図６の矢印方向と逆方向に回動した状態の概略的断面図である。
【図８】図８は、図１のピーラーの使用状態の概略的断面図である。
【図９】図９は、図１のピーラーの使用状態の概略的断面図である。
【図１０】図１０は、図１のピーラーと異なる他の実施例の刃体、本体、カバーとの関係を示す概略的斜視図である。
【図１１】図１１は、図１０の１１−１１線による概略的断面図である。
【図１２】図１２は、図１０のカバーを刃体に取り付ける前の状態を示す概略的図である。
【図１３】図１３は、図１０のカバーを刃体に取り付けた状態の概略的図である。
【図１４】図１４は、図１０のピーラーと異なる他の実施例の概略的斜視図である。
【図１５】図１５は、図１４の概略的断面図である。
【図１６】図１６は、図１５の１６−１６線による概略的断面図である。
【図１７】図１７は、図１４のピーラーを分解して示す概略的分解斜視図である。
【図１８】図１８は、図１７のカバーを刃体に取り付ける前の状態を示す概略的断面図である。
【発明を実施するための形態】
【００１５】
本発明の一実施例のピーラーを図面（図１乃至図６）を参照して説明する。  
図１、図５、図８及び図９に示すＰはピーラーで、ピーラーＰは、刃体１と、この刃体１を揺動自在に支持すると共に、手で把持する把持部２Ａを有する本体２と、刃体１の動きに連動すると共に、内壁で刃体１で削られた野菜４（又は果物）の切削物４ａを作業者の手前側に導くようにしたカバー３とを備えている。なお、本体２及びカバー３は、例えば、合成樹脂で形成されている。
【００１６】
従来のピーラーにおいては、野菜の切削物を作業者の前方に飛び散らす不具合を生じていたが、上述のピーラーＰによれば、刃体１で削られた野菜４の切削物４ａをカバー３の内壁で作業者の手前側に導くようにして、上述した不具合を防ぐことができ、しかも、カバー３は、図８及び図９に示すように、刃体１の動きに連動しているため、カバーを固定的に設けたものに比較し、カバー３の大きさをコンパクトにすることができる。また、図５乃至図７に示す１０は規制部で、規制部１０は、図６に示す矢印の方向を規制する第１の規制部１０Ｂと図７に示す矢印の方向を規制する第２規制部１０Ａとを有している。
【００１７】
刃体１は、図２に示すように、長孔１ａと、この長孔１ａに臨む長手方向の刃を有する第１の面１ｂと、この第１の面１ｂと反対側の長手方向の第２の面１ｃとを有している。
カバー３は、図２乃至図４に示すように、先端に長孔１ａの一端Ａに係止する第１の被係止部３Ａ１を有して立設する第１の側面３Ａと、先端に長孔１ａの他端Ｂに係止する第２の被係止部３Ｂ１を有して立設する第２の側面３Ｂと、この第２の側面３Ｂと第１の側面３Ａとを接続すると共に、刃体１の上面を覆い把持部２Ａに向かう傾斜部を有する覆い面３Ｃ（図８及び図９参照）とを有している。
そのため、刃体１の動きにカバー３は連動し、カバー３を刃体１の長孔１ａを利用して本体２に容易に取り付けることができる。
【００１８】
上述の実施例においては、刃体１の長孔１ａを利用して本体２に取り付けるようにしたが、本願発明は、これに限らず、例えば、図１０乃至図１３、図１４乃至図１８記載のものでも良い。
即ち、図１０乃至図１３においては、刃体１は、長孔１ａと、この長孔１ａに臨む長手方向の刃を有する第１の面１ｂと、この第１の面１ｂと反対側の長手方向の第２の面１ｃとを有し、更に、刃体１は、第１の係止部１ｄ（例えば、孔）及び第２の係止部１ｅ（例えば、孔）を有し、第１の係止部１ｄ及び第２の係止部１ｅは、例えば、第１の面１ｂに離間して設けられている。
カバー３は、図１０乃至図１３に示すように、先端に第１の係止部１ｄに係止する第１の被係止部３Ａ１を有して立設する第１の側面３Ａと、先端に第２の係止部１ｅに係止する第２の被係止部３Ｂ１を有して立設する第２の側面３Ｂと、この第２の側面３Ｂと第１の側面３Ａとを接続すると共に、刃体１の上面を覆い把持部２Ａに向かう傾斜部を有する覆い面３Ｃとを有している。
そのため、カバー３を刃体１の第１の係止部１ｄ及び第２の係止部１ｅを利用して本体２に容易に取り付けることができる。
【００１９】
また、図１４乃至図１８においては、本体２は、把持部２Ａと反対側の端部に第１の支持部２Ｂと第２の支持部２Ｃを有し、この第２の支持部２Ｃと第１の支持部２Ｂは、離間している。
そして、刃体１の一端１Ｂを第１の支持部２Ｂ（具体的には、第１の支持部２Ｂに設けた第１の係止部２ｂ）に、刃体１の他端１Ｃを第２の支持部２Ｃ（具体的には、第２の支持部２Ｃに設けた第２の係止部２ｃ）に、それぞれ支持するようにしている。
刃体１は、長孔１ａと、この長孔１ａに臨む長手方向の刃を有する第１の面１ｂと、この第１の面１ｂと反対側の長手方向の第２の面１ｃとを有している。
カバー３は、第１の係止部２ｂに係止する第１の被係止部３Ａ２と、第２の係止部２ｃに係止する第２の被係止部３Ｂ２と、先端が第１の面１ｂに当接する第１の当接部３Ａ３、先端が第２の面１ｃに当接する第１’の当接部３Ａ４を有して立設する第１の側面３Ａと、先端が第１の面１ｂに当接する第２の当接部３Ｂ３、先端が第２の面１ｃに当接する第２’の当接部３Ｂ４を有して立設する第２の側面３Ｂと、この第２の側面３Ｂと第１の側面３Ａとを接続すると共に、刃体１の上面を覆い把持部２Ａに向かう傾斜部を有する覆い面３Ｃとを有している
そのため、刃体１の動きにカバー３は連動し、カバー３を第１の支持部２Ｂに第１の係止部２ｂ及び第２の支持部２Ｃに第２の係止部２ｃを利用して本体２に容易に取り付けることができる。
【符号の説明】
【００２０】
Ｐ      ピーラー
１      刃体
２      本体
３      カバー
４      野菜
【図１】
0005878738.tif 000002
【図２】
0005878738.tif 000003
【図３】
0005878738.tif 000004
【図４】
0005878738.tif 000005
【図５】
0005878738.tif 000006
【図６】
0005878738.tif 000007
【図７】
0005878738.tif 000008
【図８】
0005878738.tif 000009
【図９】
0005878738.tif 000010
【図１０】
0005878738.tif 000011
【図１１】
0005878738.tif 000012
【図１２】
0005878738.tif 000013
【図１３】
0005878738.tif 000014
【図１４】
0005878738.tif 000015
【図１５】
0005878738.tif 000016
【図１６】
0005878738.tif 000017
【図１７】
0005878738.tif 000018
【図１８】
0005878738.tif 000019